(57)【要約】【課題】  デジタル放送は多重化されているので、放送に印刷データを含ませ、チューナーに接続させるプリンタで印刷させることが考えられているが、印刷データがすべて受信される前に、視聴者によりテレビチャンネルが変更されると、印刷データの受信がすべて完了していない場合には、正しく印刷することができない。【解決手段】  データ放送に多重化されてくる印刷データの蓄積中であることを、表示装置２０４の表示画面に表示する。印刷データの蓄積が終了すると、印刷可能な状態を示すアイコン、または、印刷を開始する為のアイコンを表示する。印刷データをＲＡＭ２０５のテンポラリ領域に蓄積を完了した後に、チャンネルが変更された場合、印刷データをＲＡＭ２０５のプリント領域、またはＨＤＤ２０８にコピーする。また、印刷データの容量がＲＡＭ２０５のテンポラリ領域の容量よりも大きい場合は、印刷データをＨＤＤ２０８に記憶する。【選択図】  図２
2005123792.tif 000002
【特許請求の範囲】
【請求項１】
データ放送を受信する受信手段と、データ放送に多重化されてくる印刷データの容量により、印刷データを記憶する記憶手段を選択する選択手段を有することを特徴とする受信装置。
【請求項２】
データ放送を受信する受信手段と、データ放送に多重化されてくる印刷データの蓄積を行うか否かの選択画面を表示する表示手段とを有することを特徴とする受信装置。
【請求項３】
データ放送を受信する受信手段と、データ放送の番組情報中の各番組が印刷データを含んでいるか否かを識別する情報に基づき、印刷データを含んでいる番組のタイトルまたは放送画面にその旨を表示する表示手段とを有することを特徴とする受信装置。
【請求項４】
データ放送を受信する受信手段と、データ放送に多重化されてくる印刷データの蓄積中であることを表示画面に表示する表示手段とを有することを特徴とする受信装置。
【請求項５】
データ放送を受信する受信手段と、データ放送に多重化されてくる印刷データの蓄積が終了すると、印刷可能な状態を示すアイコン、または、印刷を開始する為のアイコンを表示する表示手段とを有することを特徴とする受信装置。
【請求項６】
請求項５において、前記表示手段は、印刷可能な状態を示すアイコンが選択されると、印刷可能なデータの一覧を表示し、そこから選択された印刷データを印刷することを特徴とする受信装置。
【請求項７】
データ放送を受信する受信手段と、データ放送に多重化されてくる印刷データをＲＡＭのテンポラリ領域に蓄積を完了した後に、チャンネルが変更された場合、印刷データをＲＡＭのプリント領域、またはＨＤＤにコピーするコピー手段とを有することを特徴とする受信装置。
【請求項８】
請求項７において、チャンネル変更により印刷データがＲＡＭのプリント領域、またはＨＤＤにコピーされると、印刷可能な状態を示すアイコンを表示する表示手段を有し、前記表示手段は、アイコンが選択されると、印刷可能なデータの一覧を表示し、そこから選択された印刷データを印刷することを特徴とする受信装置。
【請求項９】
コンピュータを、請求項１から８のいずれか１項の受信装置として動作されるためのプログラム。
【発明の詳細な説明】
【技術分野】
【０００１】
本発明はデータ放送に多重化されてくる印刷データを、受信する受信装置に関する。
【背景技術】
【０００２】
近年、放送サービスが充実化されてきており、テレビジョン放送（以下、ＴＶ放送）がアナログからデジタル化が進むにつれ、データ多重化放送の数も増えてきている（例えば、特許文献１）。
【０００３】
例えば、ＴＶの料理番組中にユーザがリモコンのボタンを押すだけで、別画面もしくは画面の一部に料理のレシピが表示されたり、ドラマ番組では、出演者の紹介を見たりすることが可能となると予想される。
【特許文献１】特開２００２−２９０８５３号公報
【発明の開示】
【発明が解決しようとする課題】
【０００４】
デジタル放送は放送が多重化されて送信されるために、多重化される放送に印刷データを含ませ、ＢＳ（Ｂｒｏａｄｃａｓｔｉｎｇ  Ｓａｔｅｌｌｉｔｅ）チューナーに接続させるプリンタで印刷させることが考えられている。しかしながら、放送は随時送信されてくるものであり、いま表示部に表示しているデータ放送に含まれる印刷データがすべて受信される前に、視聴者によりテレビチャンネルが変更されると、変更されたチャンネルの放送の受信に切り替わるので、印刷データの受信がすべて完了していない場合には、正しく印刷することができない。
【０００５】
そこで本発明は上記問題点を鑑みてなされたものであり、印刷指示された番組中の印刷データを印刷保証する仕組みを提供することを目的とする。
【０００６】
また、データ放送に印刷データが多重化されていること、印刷データの蓄積が可能であること、データの蓄積中であること、印刷可能な状態になったことをテレビ画面に表示して視聴者に知らせること、蓄積後にチャンネルを変更しても印刷データは保存されること、蓄積された印刷データを視聴者がテレビ画面からの簡単な操作で印刷する仕組みを提供することを更なる目的とする。
【課題を解決するための手段】
【０００７】
本発明の第１の受信装置は、上記目的を鉄製するために、データ放送を受信する受信手段と、データ放送に多重化されてくる印刷データの容量により、印刷データを記憶する記憶手段を選択する選択手段を有することを特徴とする。
【０００８】
本発明の第２の受信装置は、データ放送を受信する受信手段と、データ放送に多重化されてくる印刷データの蓄積を行うか否かの選択画面を表示する表示手段とを有することを特徴とする。
【０００９】
本発明の第３の受信装置は、データ放送を受信する受信手段と、データ放送の番組情報中の各番組が印刷データを含んでいるか否かを識別する情報に基づき、印刷データを含んでいる番組のタイトルまたは放送画面にその旨を表示する表示手段とを有することを特徴とする。
【００１０】
本発明の第４の受信装置は、データ放送を受信する受信手段と、データ放送に多重化されてくる印刷データの蓄積中であることを表示画面に表示する表示手段とを有することを特徴とする。
【００１１】
本発明の第５の受信装置は、データ放送を受信する受信手段と、データ放送に多重化されてくる印刷データの蓄積が終了すると、印刷可能な状態を示すアイコン、または、印刷を開始する為のアイコンを表示する表示手段とを有することを特徴とする。
【００１２】
本発明の第６の受信装置は、データ放送を受信する受信手段と、データ放送に多重化されてくる印刷データをＲＡＭのテンポラリ領域に蓄積を完了した後に、チャンネルが変更された場合、印刷データをＲＡＭのプリント領域、またはＨＤＤにコピーするコピー手段とを有することを特徴とする。
【発明の効果】
【００１３】
本発明によれば、データ放送に多重化された印刷データを、視聴者は放送画面上から簡単に印刷を行うことが出来る。
【００１４】
また、チャンネルの変更操作が行われても、印刷データの消失を防ぎ、視聴者は他の番組を視聴しながらでも、放送画面上から、簡単に印刷したい項目を選択し、印刷を開始することができる。
【発明を実施するための最良の形態】
【００１５】
以下、図面を参照して本発明の実施の形態を説明する。
【００１６】
［データ放送システム構成図］
図１は、本発明の実施形態に係るデータ放送システムを説明するためのシステム構成図である。
【００１７】
１０１は、衛星放送局であり、通信衛星１０２を介して衛星派で衛星放送を行う。各家庭では、このように衛星波で送られてくるテレビジョン放送（以下、ＴＶ放送）を、衛星アンテナ１０３を介して、本発明のテレビジョン放送受信装置である受信機１０４が受信する。
【００１８】
また１０５は、地上波放送局であり、地上波でＴＶ放送を行う。日本では現在地上波アナログ放送しかないが、米国では、地上波デジタル放送もあり、各家庭では、地上波で送られてくるＴＶ放送を、地上波アンテナ１０６を介して、受信機１０４が受信する。
【００１９】
また、１０７は、ケーブルテレビ放送局であり、ケーブル回線１０８を介してケーブルＴＶ放送を行う。各家庭では、ケーブル回線１０８を介して送られてくるＴＶ放送を、ケーブルテレビ用のセットトップボックス１０９を介して、受信機１０４が受信する。また、ケーブルテレビ放送の場合はセットトップボックス１０９がチューナーの役割を果たすため、受信機１０４は通常のテレビであってもよい。
【００２０】
また、受信機１０４にはモデム１１０が内蔵されており、電話回線を介して双方向センター１１２にアクセスし、データベース１１１に各種データをアップロードすることが可能となっている。例えば、近年ＣＳ（Ｃｏｍｍｕｎｉｃａｔｉｏｎ  Ｓａｔｅｌｌｉｔｅ：ＢＳに比べて出力が弱いが同程度のアンテナで受信可能）デジタル放送やＢＳデジタル放送では、ＣＡＳ（Ｃｏｎｄｉｔｉｏｎａｌ  Ａｃｃｅｓｓ  Ｓｙｓｔｅｍ：限定受信システム）と呼ばれる、契約者だけ視聴可能な有料放送が存在しており、その契約等にこのモデムを介した双方向通信が使用されている。
【００２１】
更に本形態では、受信機１０４にプリンタ１１３を接続可能にしており、このプリンタ１１３を用いてデータ放送に含まれる印刷コンテンツを印刷することが可能となっている。
【００２２】
［テレビジョン放送受信装置のハード構成図］
図２は、本発明のテレビジョン放送受信装置である受信機１０４のハード構成を説明するためのブロック図である。本図において、図１と同じ構成は同じ符号を振ってある。また、本実施形態では、デジタルＴＶ放送を例にとって説明を行う。
【００２３】
本図において、放送局２０１（衛星放送局１０１または地上波放送局１０５）から送信されたＴＶ放送をアンテナ１０３（または１０６）を介して本受信機１０４が受信する。そして、チューナー部２０２は、受信したデジタル変調信号に対して、復調および誤り訂正等の処理を施し、ＴＳ信号（トランスポートストリームデータ）を生成する。そして、複数チャンネル分の映像、音声データ、電子番組ガイド（ＥＰＧ）データ、データ放送用データ等が時分割多重化されているＴＳ信号の中から、リモコン２０６の操作により選択されたチャンネルのデータパケットをフィルタリングして取り出し、表示装置２０４に番組コンテンツが表示される。
【００２４】
ここでＴＳデータはパケット単位で伝送され、パケットの先頭部分にはＰＩＤ（Ｐａｃｈｅｔ  Ｉｄｅｎｔｉｆｉｃａｔｉｏｎ）が付加されている。よって、チューナー部２０２やＣＰＵ２０３は、このＰＩＤを読み取ることで、ＭＰＥＧ２で符号化された映像データ及び音声データ、データ放送、ＥＰＧデータ、後述するプリンタドライバ関連データの識別を行うことができる。ここで、ＥＰＧデータは、社団法人電波産業界（通称ＡＲｉＢ）における標準規格で規定されるデータ構造で伝送される。主なデータ構造として、チャンネルに関する情報を伝送するＳＤＴ（Ｓｅｒｖｉｃｅ  Ｄｅｓｃｒｉｐｔｉｏｎ  Ｔａｂｌｅ）、番組の名称、放送開始日時、内容の説明など、番組に関する情報を伝送するＥＩＴ（Ｅｖｅｎｔ  Ｉｎｆｏｒｍａｔｉｏｎ  Ｔａａｂｌｅ）などが挙げられる。また、データ放送は、ＩＳＯ／ＩＥＣ１３８１８−６に規定されているＤＳＭ−ＣＣのデータカルーセル方式により放送局から繰り返しデジタルデータが送出されてくる。フィルタリングされたデータ放送データには、テキスト情報、スクリプト情報、画像情報、及び映像・音声データが含まれており、ＢＭＬ（Ｂｒｏａｄｃａｓｔ  Ｍａｒｋｕｐ  Ｌａｎｇｕａｇｅ）言語（ＸＭＬ言語を放送向けに拡張したもの）で記述されている。
【００２５】
また、ＴＳ信号の中から、ＣＰＵ２０３の処理により、データ放送／ＥＰＧデータが取り出され、ＲＡＭ２０５に格納される。
【００２６】
ＣＰＵ２０３は、リモコン２０６からのデータ放送表示指示がインタフェース２０７を介して入力された場合に、ＲＡＭ２０５から表示用のＢＭＬデータを読み出し、簡易なブラウザで表示すべく映像信号を生成して表示装置２０４に出力する。
【００２７】
また、ＣＰＵ２０３は、後述するように、ハードディスク等の不揮発性の大容量メモリ２０８に、データ放送の印刷コンテンツ（プリントファイル）やダウンロードしたプリンタドライバ等を格納し、リモコン２０６からの印刷指示に応じて、プリンタドライバをＲＡＭ２０５に展開し、印刷コンテンツを読み出して、プリンタドライバを用いて印刷データを生成し、インタフェース２１１を介してプリンタ１１３で印刷処理させる。
【００２８】
２０９は、ＮＶＲＡＭであり、ＢＳチューナーの各種設定やバージョンアッププログラムが格納される。２１０はＲＯＭであり、ＢＳチューナーのおける各種の制御プログラムが格納されている。
【００２９】
また、表示部２０４は、受信機１０４に内蔵されている必要は無く、外部接続されていてもよい。ちなみに内蔵されている場合は、受信機１０４は、ＢＳデジタルハイビジョンＴＶに相当する。また、大容量メモリ２０８は、受信機１０４に内蔵されていなくてもよく、外部記憶装置２１２として外部接続されていてもよい。
【００３０】
また、ＣＰＵ２０３は、プログラム実行機能を持ち、チャンネル選択、電源ＯＮなどの各操作スイッチを有するリモコン２０６の操作に応じて、チューナー部（チューナー処理、デスクランブラ処理、デマルチプレクサ処理、デコーダ処理を行う）２０２および図示省略した画面構成部（ビデオ信号として出力する情報を生成する）を制御する。
【００３１】
［リモコン説明図］
リモコン２０６の例を図３に示す。
【００３２】
図３において、３０１はリモコンと図２の受光部に相当するインタフェース２０７との赤外線通信（ＩＲＤＡ）を行うための発光部であり、３０２はテレビジョン放送受信装置１０４の電源をＯＮ／ＯＦＦするための電源ボタンである。
【００３３】
３０３は、選択カーソルを上下左右に移動させるためのカーソルキーであり、３０４は、選択カーソルによって指定されている領域選択の決定を行うための決定ボタンである。また、３０７は、メニュー画面を表示するためのメニューボタンである。３０５はテンキーであり、チャンネルの入力や数値の入力のためのキーである。
【００３４】
［放送局の機能ブロック図］
図４は、テレビジョン放送送信装置を含む放送局２０１（地上波、衛星波のいずれであってもよいが、データ放送を含む放送局）の各機能処理を説明するためのブロック図である。本図において、前述した図と同じ構成は同じ符号を振ってある。また、本実施形態では、ＢＳデジタル放送を例にとって説明を行う。
【００３５】
図４において、４０１はデータ放送を制作する制作システムであり、番組で用いられる映像や音声、静止画などの素材を作成するためのモノメディア制作機能、作成したモノメディアを組み合わせて番組を作成するためのオーサリング機能、作成した番組を検証するためのプレビュー機能、作成した番組及び素材データを管理するための作成素材サーバから構成される。
【００３６】
作成システムで作成した番組は、送出システム４０２に送られ、放送時間になると衛星を通じて放送される。送出システム４０２では、ストリーム系のデータを除くデータ放送は、カルーセル伝送（詳細は後述する）と呼ばれる同じ内容を繰り返し送出する方法で送出される。また、動画や音声などのストリーム系のデータは、リアルタイムストリーム伝送方法で送出される。このとき、送出システムでは、地震や津波などの緊急性の高い情報を送出するための装置である文字スーパ送出装置、カルーセル送出装置、ストリーム送出装置からそれぞれ送出されるデータを多重化装置で多重化し、更に、データ放送でない一般番組のデジタル放送と合成器４０３で合成して、衛星１０２を介して衛星放送として各家庭にＴＶ放送が送られる。
【００３７】
［データ連動放送の番組例］
図５にデータ連動放送の番組構成の一例を示す。
【００３８】
５０１は、放送局から送られてくる番組コンテンツの放送データであり、５０２は、各家庭で表示装置２０４に表示される番組のイメージを表している。放送局２０１（衛星放送局１０１）では、放送帯域内に複数の番組コンテンツを分けて入れることができ、ＨＤ（Ｈｉｇｈ  Ｄｅｆｉｎｉｔｉｏｎ）放送だと、１つの映像番組とデータ放送部分が送信可能であり、ＳＤ（Ｓｔａｎｄａｒｄ  Ｄｅｆｉｎｉｔｉｏｎ）放送だと、映像番組３チャンネルと１つのデータ放送部分が送信可能なように、放送局の帯域が割り振られる。
【００３９】
時間帯５０３では、ＳＤ放送であり、ＳＤ番組１〜番組３が映像放送として送信されており、同時にデータ放送の番組８も送信されている。データ放送の番組８は、番組１〜３と連動するデータ放送番組であるが、番組１〜３の終了と同時に異なるデータ放送番組に変更してもよいし、そのまま同じデータ放送番組を流していてもよい。つまり、独立した番組となっている。このとき、各家庭では、チャンネルｘｘ１〜ｘｘ３に異なる番組として５０６に示すように表示装置２０４に表示される。
【００４０】
時間帯５０４では、ＨＤ放送であり、ＨＤ番組４が１つのチャンネルで映像放送として送信されており、また、同時にデータ放送の番組８も送信されている。このとき、各家庭では、代表チャンネルｘｘ１にＨＤ放送として５０７に示すように表示装置２０４に表示される。
【００４１】
このような番組放送の中で、データ連動放送というものが存在する。これは、映像放送番組（コンテンツ）とデータ放送番組（コンテンツ）とが連動するものであり、表の番組に同期した形のサービスを提供することができる。例えば、映像放送番組としてドラマが流れており、そのデータ放送番組としてテレビショッピングで表のドラマの中でヒロインが着用している装着具や衣服についての商品説明を行い、ドラマを見ながらその場で視聴者が注文可能な番組などが考えられる。注文を行う場合には、リモコン２０６の操作に応じて、モデム１１０を介して双方向センター１１２のデータベース１１１にアクセスすることにより注文処理が行われる。また、ＳＤ放送のように複数のチャンネルで番組を流すような場合には、例えば、野球の中継で、センター方面からの映像、バックネット裏からの映像、選手のベンチからの映像などのように、同じ中継を異なる視点から放送し、視聴者（ユーザ）の所望とする方面からの映像を表示装置２０４に表示させることが可能となり、また、特定選手の戦績をデータ連動放送として表示させたり、双方向通信を用いることにより人気投票を行う視聴者参加型の番組を提供したりすることが可能となっている。
【００４２】
［印刷データの蓄積］
図６は受信機１０４がデータ放送に多重化された印刷データを受信し、印刷データのデータサイズに応じて、ＲＡＭ２０５または、ハードディスク等の不揮発性の大容量メモリ２０８に蓄積する手順であり、ＲＯＭ２１０もしくはＮＶＲＡＭ２０９に格納された制御プログラムに基づいて、コンピュータであるＣＰＵ２０３が制御することにより実現される。
【００４３】
データ放送を受信すると（Ｓ６０１）、受信機１０４のＣＰＵ２０３は、印刷データが多重化されているかどうかを判別する（Ｓ６０２）。印刷データが多重化されている場合、次に印刷データのデータサイズ（＝Ｘ）と、ＲＡＭ２０５のテンポラリ領域に蓄積できる容量（＝Ｎ）を比較する（Ｓ６０３）。印刷データのデータサイズＸがＮ以下だった場合は、ＲＡＭ２０５のテンポラリ領域に印刷データを保存する（Ｓ６０４）。また、ＸがＮより大きかった場合には、ハードディスク等の不揮発性の大容量メモリ２０８に蓄積する（Ｓ６０５）。
【００４４】
すなわち、受信機１０４は、データ放送を受信する受信手段（チューナー部２０２）と、データ放送に多重化されてくる印刷データの容量により、印刷データを記憶する記憶手段（ＲＡＭ２０５、ＨＤＤ２０８）を選択する選択手段（ＣＰＵ２０３）を有する。従って、容量の大きな印刷データの蓄積も可能である。容量が小さければ、ＲＡＭ２０５のテンポラリ領域に蓄積して、プリンタ１１３への高速転送が可能である。
【００４５】
図７は、印刷データのデータサイズから、ハードディスク等の不揮発性の大容量メモリ２０８への蓄積が必要と判別された場合、視聴者が表示装置２０４に表示された放送画面上から、印刷データの蓄積を行うか否かを選択でき、また、受信機１０４にハードディスク等の不揮発性の大容量メモリ２０８が無い場合は、それを検知して、その旨を視聴者に知らせるメッセージを画面上に表示する手順であり、ＲＯＭ２１０もしくはＮＶＲＡＭ２０９に格納された制御プログラムに基づいて、コンピュータであるＣＰＵ２０３が制御することにより実現される。
【００４６】
以下に手順を説明する。
【００４７】
まず受信機１０４がデータ放送を受信すると（Ｓ７０１）、印刷データが多重化されているか否かを判別する（Ｓ７０２）。印刷データが含まれている場合には、次にデータサイズを調べ、蓄積する場所を識別する（Ｓ７０３Ａ）。印刷データのデータサイズＸがＮ以下だった場合は、ＲＡＭ２０５のテンポラリ領域に印刷データを保存する（Ｓ７０４）。また、ＸがＮより大きく、ハードディスク等の不揮発性の大容量メモリ２０８への蓄積が必要だと判別された場合（Ｓ７０５）、次にハードディスク等の不揮発性の大容量メモリ２０８の空き領域を調べ、データサイズＸと比較して印刷データの蓄積が可能か否かを判別する（Ｓ７１１）。
【００４８】
空き領域が無い場合は、その旨を視聴者に伝えるメッセージを表示装置２０４に表示する（Ｓ７１２）。
【００４９】
また、データ放送の番組情報のいずれかに印刷データが含まれており、空き領域が確保されている場合には、印刷データの蓄積を行うかどうかを視聴者に問い合わせるメッセージと、蓄積を開始する為のアイコンを表示装置２０４の表示画面に表示する（Ｓ７１３）。リモコン２０６により印刷データの蓄積が指示された場合、受信された印刷データをハードディスク等の不揮発性の大容量メモリ２０８に蓄積する（Ｓ６０５）。
【００５０】
すなわち、受信機１０４は、データ放送を受信する受信手段（チューナー部２０２）と、データ放送に多重化されてくる印刷データの蓄積を行うか否かの選択画面を表示装置２０４に表示する表示手段（ＣＰＵ２０３）とを有する。従って、視聴者は、蓄積する印刷データを選択することができる。
【００５１】
図８は、データ放送で送られてくる各番組情報の中に、印刷データを含んでいるか否かを識別する情報を含み、それを表示装置２０４に表示される番組画面の中に表示することで、視聴者に番組が印刷対応か否かを知らせる手順であり、ＲＯＭ２１０もしくはＮＶＲＡＭ２０９に格納された制御プログラムに基づいて、コンピュータであるＣＰＵ２０３が制御することにより実現される。図９は、表示画面の遷移を示す。
【００５２】
データ放送を受信すると（Ｓ８０１）、受信機１０４のＣＰＵ２０３は、番組情報に含まれる情報から、印刷データが多重化されているか否かを判別する（Ｓ８０２）。印刷データが多重化されている場合、Ｓ８０３で、表示装置２０４に表示されるデータ放送画面上で、各番組のタイトルインデックス上や、印刷に対応した番組の画面上に、印刷対応マーク９０１を表示する（図９（Ａ））。図９（Ａ）では、データ放送トップ画面の番組タイトル（「今日の料理」、「ニュース」などのうち、印刷データを含んでいる「今日の料理」）に、プリント対応番組であることを示すマークＰ９０１を付加して表示する。
【００５３】
すなわち、受信機１０４は、データ放送を受信する受信手段（チューナー部２０２）と、データ放送の番組情報中の各番組が印刷データを含んでいるか否かを識別する情報に基づき、印刷データを含んでいる番組のタイトルまたは放送画面にその旨を表示装置２０４に表示する表示手段（ＣＰＵ２０３）とを有する。従って、視聴者は、印刷データの存在を知ることができる。
【００５４】
また、受信機１０４のＲＡＭ２０５、またはハードディスク等の不揮発性の大容量メモリ２０８に印刷データの蓄積を行っている間（図６のＳ６０４、Ｓ６０５、図７のＳ７０４）、表示装置２０４に表示されるデータ放送画面上に、印刷データを蓄積中であることを示すアイコン９０２を表示する（図９（Ｂ））。
【００５５】
すなわち、受信機１０４は、データ放送を受信する受信手段（チューナー部２０２）と、データ放送に多重化されてくる印刷データの蓄積中であることを表示装置２０４の表示画面に表示する表示手段（ＣＰＵ２０３）とを有する。従って、視聴者は、チャンネルを変えると、蓄積に失敗することを知ることができる。
【００５６】
更に、受信機１０４のＲＡＭ２０５、またはハードディスク等の不揮発性の大容量メモリ２０８に印刷データの蓄積が完了すると、表示装置２０４に表示されるデータ放送画面上に、印刷を開始するためのアイコン（印刷可能な状態を示すアイコン）９０３を表示する（図９（Ｃ））。このアイコン９０３がリモコン２０６で選択されると、印刷データをインタフェース２１１からプリンタ１１３へ送って、プリントを行う。
【００５７】
すなわち、受信機１０４は、データ放送を受信する受信手段（チューナー部２０２）と、データ放送に多重化されてくる印刷データの蓄積が終了すると、印刷可能な状態を示すアイコン、または、印刷を開始する為のアイコンを表示装置２０４に表示する表示手段（ＣＰＵ２０３）とを有する。従って、視聴者は、印刷が可能であることを知ることができる。
【００５８】
［印刷保証］
図１０は、番組データとともに印刷データがＲＡＭ２０５のテンポラリ領域に蓄積された後、視聴者がチャンネルの変更操作を行った場合に、一旦蓄積された印刷データをＲＡＭ２０５のプリント領域にコピーすることにより、印刷データの消失を防ぐ手順を示すものであり、ＲＯＭ２１０もしくはＮＶＲＡＭ２０９に格納された制御プログラムに基づいて、コンピュータであるＣＰＵ２０３が制御することにより実現される。
【００５９】
受信機１０４が番組データを受信すると（Ｓ１００１）、そこに多重化された印刷データのデータサイズにより（Ｓ１００２）、蓄積場所が識別される。データサイズがＲＡＭ２０５のテンポラリ領域に蓄積可能であれば、ここに一時的に蓄積される（Ｓ１００３）。この蓄積が完了した状態で視聴者がリモコン２０６によりチャンネルの変更操作を行うと（Ｓ１００５）、ＣＰＵ２０３は、一旦ＲＡＭ２０５のテンポラリ領域に蓄積した印刷データを、ＲＡＭ２０５のプリント領域（またはＨＤＤ２０８）にコピー、蓄積し（Ｓ１００６）、印刷データの消失を防ぐ。
【００６０】
すなわち、受信機１０４は、データ放送を受信する受信手段（チューナー部２０２）と、データ放送に多重化されてくる印刷データをＲＡＭ２０５のテンポラリ領域に蓄積を完了した後に、チャンネルが変更された場合、印刷データをＲＡＭ２０５のプリント領域、またはＨＤＤ２０８にコピーするコピー手段（ＣＰＵ２０３）とを有する。従って、チャンネルが変更されても、印刷データが失われることがない。
【００６１】
図１１は、前述の図１０の手順により、ＲＡＭ２０５のプリント領域にコピー、蓄積された印刷データを、視聴者が表示装置２０４に表示されたデータ放送画面上から印刷する際の手順を示したものであり、ＲＯＭ２１０もしくはＮＶＲＡＭ２０９に格納された制御プログラムに基づいて、ＣＰＵ２０３が制御することにより実現される。図１２は、表示画面の遷移を示す。図１２（Ａ）は、図９（Ｃ）と共通である。
【００６２】
図１０で、印刷データの蓄積完了後にチャンネルが変更されて、印刷データがＲＡＭのプリント領域（またはＨＤＤ２０８）にコピーされると（Ｓ１００６）、Ｓ１１０１で、表示装置２０４に表示されたデータ放送画面上に、印刷データがＲＡＭ２０５のプリント領域にコピーされ、印刷可能な状態であることを視聴者に知らせるアイコン１２０１が表示される（図１２（Ｂ））。
【００６３】
視聴者が、このアイコン１２０１を選択することで（Ｓ１１０２）、Ｓ１１０３へ進み、受信機のＲＡＭ２０５に蓄積された印刷データ一覧の画面を表示する（図１２（Ｃ））。この画面上から、リモコン２０６を用いて、印刷したい項目１２０２を選択し（Ｓ１１０４）、印刷を開始する為のアイコン１２０３を選択することにより、選択された印刷データをインタフェース２１１からプリンタ１１３へ送って、印刷を開始する（Ｓ１１０５）。
【００６４】
すなわち、受信機１０４は、チャンネル変更により印刷データがＲＡＭ１０５のプリント領域、またはＨＤＤ２０８にコピーされると、印刷可能な状態を示すアイコンを表示する表示手段（ＣＰＵ２０３）を有し、前記表示手段は、アイコンが選択されると、印刷可能なデータの一覧を表示し、そこから選択された印刷データを印刷する。従って、視聴者は、印刷データを選択することができる。
【００６５】
なお、他の形態では、データ放送に多重化されてくる印刷データの蓄積が終了したときに表示する図１２（Ａ）の画面にも、アイコン１２０１を表示し、リモコン２０６でアイコン１２０１が選択されると、図１２（Ｃ）の画面に移り、印刷可能な印刷データの一覧を表示し、そこから選択された印刷データを印刷する。この形態では、アイコン１２０１は、印刷可能な状態を示している。
【図面の簡単な説明】
【００６６】
【図１】本発明に係るデータ放送システムを説明するためのシステム構成図である。
【図２】本発明に係るテレビジョン放送受信機のハードウェア構成を説明するためのブロック図である。
【図３】本発明に係るテレビジョン放送受信機をリモート操作するためのリモコンを説明するための図である。
【図４】本発明に係るＢＳデジタル放送の放送局におけるシステムを説明するためのシステム構成図である。
【図５】本発明に係る多重化されたテレビジョン放送のデータ内容を説明するための放送図である。
【図６】本発明に係る印刷データを蓄積する手順のフローチャート図である。
【図７】本発明に係る印刷データの蓄積を行うか否かを選択する手順のフローチャート図である。
【図８】本発明に係る印刷データを含んでいるか否かを表示する手順のフローチャート図である。
【図９】本発明に係る表示画面の遷移図である。
【図１０】本発明に係る印刷データの消失を防ぐ手順のフローチャート図である。
【図１１】本発明に係る印刷データを印刷する手順のフローチャート図である。
【図１２】本発明に係る表示画面の遷移図である。
【符号の説明】
【００６７】
１０４  受信機
１１３  プリンタ
２０２  チューナー部
２０３  ＣＰＵ
２０４  表示装置
２０５  ＲＡＭ
２０６  リモコン
２０７  インタフェース
２０８  ＨＤ
２１１  プリンタ用インタフェース
【図１】
2005123792.tif 000003
【図２】
2005123792.tif 000004
【図３】
2005123792.tif 000005
【図４】
2005123792.tif 000006
【図５】
2005123792.tif 000007
【図６】
2005123792.tif 000008
【図７】
2005123792.tif 000009
【図８】
2005123792.tif 000010
【図９】
2005123792.tif 000011
【図１０】
2005123792.tif 000012
【図１１】
2005123792.tif 000013
【図１２】
2005123792.tif 000014